(57)【要約】【課題】  省スペースな状態表示機能付きサーバを提供する事。【解決手段】  ＣＰＵを含むコントローラ部４０と、ＨＤＤインタフェースコネクタ２０を含むＨＤＤ搭載ベイ３０を備え、状態監視機能を有する状態表示機能付きサーバ１００であって、ＣＰＵ４１から出力されるレディ信号及びアラーム信号をＨＤＤインタフェースコネクタ２０を介して入力する制御部１２と、該制御部１２が入力した信号を保持するレジスタ１３と、該レジスタ１３に保持した信号に対応したレディ表示又はアラーム表示を行うＬＥＤ表示器１１とからＨＤＤベイ搭載表示部３０を構成し、ＣＰＵ４１が、状態監視機能を用いて正常又は異常を判定した結果に応じてレディ信号及びアラーム信号を出力し、ＨＤＤベイ搭載表示部１０が、前記信号をＨＤＤインタフェースコネクタ２０を介して入力し、ＬＥＤ表示器１１にレディ状態又はアラーム状態を表示するもの。【選択図】図１
2007122505.tif 000002
【特許請求の範囲】
【請求項１】
ＣＰＵ及びＨＤＤコントローラを含むコントローラ部と、該ＨＤＤコントローラと接続されＨＤＤ等の記憶装置を接続するためのＨＤＤインタフェースコネクタを含むＨＤＤ搭載ベイを備え、状態監視機能を有する状態表示機能付きサーバであって、
前記コントローラ部のＣＰＵから出力されるレディ信号及びアラーム信号をＨＤＤインタフェースコネクタを介して入力する制御部と、該制御部が入力したレディ信号及びアラーム信号を保持するレジスタと、該レジスタに保持したレディ信号及びアラーム信号に対応したレディ表示又はアラーム表示を行う複数のＬＥＤから成るＬＥＤ表示部とからＨＤＤベイ搭載表示部を構成し、前記ＣＰＵが、状態監視機能を用いて正常又は異常を判定し、該判定結果に応じてレディ信号及びアラーム信号を出力し、該ＨＤＤベイ搭載表示部が、前記ＣＰＵから出力されたレディ信号及びアラーム信号をＨＤＤインタフェースコネクタを介して入力し、前記制御部がＬＥＤ表示部にレディ状態又はアラーム状態を表示することを特徴とする状態表示機能付きサーバ。
【発明の詳細な説明】
【技術分野】
【０００１】
本発明は、電源やファン他の正常／異常状態を省スペースで表示することができる状態表示機能付きサーバに関する。
【背景技術】
【０００２】
一般にコンピュータシステムを制御するサーバは、当該システムの状態、例えば正常／異常を管理者に知らしめるためにＣＲＴ等の表示部に前記状態表示を行うことが行われている。
尚、コンピュータシステムにおけるシステムの正常／異常状態等を表示する技術が記載された文献としては、下記特許文献が挙げられる。
【特許文献１】特開平０６−５１９２６号公報
【特許文献２】特開２００２−３１７９２号公報
【特許文献３】特開２００５−２５９０３９号公報
【発明の開示】
【発明が解決しようとする課題】
【０００３】
しかしながら、前述の特許文献１及び２に記載の技術は、前記正常／異常状態をＣＲＴ等の表示部に表示する構成のためＣＲＴや液晶モニタ等を接続する必要があると共に、これら表示部の設置スペースが必要であると言う不具合があった。特に多数のサーバを併設したコンピュータシステムの場合、前記ＣＲＴや液晶モニタ等の設置スペースが多大になると言う不具合があった。また前記特許文献２記載の技術は、省スペースを図ることができるものの、装置の表示インタフェースを無駄に消費してしまうと言う不具合もあった。
【０００４】
本発明は、前述の従来技術による不具合を除去することであり、省スペースでシステムの状態を容易に表示することができる状態表示機能付きサーバを提供することである。
【課題を解決するための手段】
【０００５】
前記目的を達成するため本発明は、ＣＰＵ及びＨＤＤコントローラを含むコントローラ部と、該ＨＤＤコントローラと接続されＨＤＤ等の記憶装置を接続するためのＨＤＤインタフェースコネクタを含むＨＤＤ搭載ベイを備え、状態監視機能を有する状態表示機能付きサーバにおいて、前記コントローラ部のＣＰＵから出力されるレディ信号及びアラーム信号をＨＤＤインタフェースコネクタを介して入力する制御部と、該制御部が入力したレディ信号及びアラーム信号を保持するレジスタと、該レジスタに保持したレディ信号及びアラーム信号に対応したレディ表示又はアラーム表示を行う複数のＬＥＤから成るＬＥＤ表示部とからＨＤＤベイ搭載表示部を構成し、前記ＣＰＵが、状態監視機能を用いて正常又は異常を判定し、該判定結果に応じてレディ信号及びアラーム信号を出力し、該ＨＤＤベイ搭載表示部が、前記ＣＰＵから出力されたレディ信号及びアラーム信号をＨＤＤインタフェースコネクタを介して入力し、前記制御部がＬＥＤ表示部にレディ状態又はアラーム状態を表示することを特徴とする。
【発明の効果】
【０００６】
本発明による状態表示機能付きサーバは、ＨＤＤベイ搭載表示部がＣＰＵからのレディ信号及びアラーム信号をＨＤＤインタフェースコネクタを介して入力し、ＬＥＤ表示することによって、スペースを要するＣＲＴ等の表示部を別設することなく、省スペースでシステムの状態を容易に表示することができる。
【発明を実施するための最良の形態】
【０００７】
以下、本発明の一実施形態による状態表示機能付きサーバを図面を参照して詳細に説明する。図１は本実施形態による状態表示機能付きサーバの主要構成を示す図である。
【０００８】
本実施形態による状態表示機能付きサーバは、図１に示す如く、サーバの主機能であるコントローラ部４０と、多数のＨＤＤを搭載するためのＨＤＤ搭載ベイ３０と、図示しない各種回路機構とを備え、前記コントローラ部４０は、各種システムの情報処理を制御するＣＰＵ４１と、該ＣＰＵ４１と信号の授受を行うためのブリッジ４２と、該ブリッジ４２に接続された記憶部であるメモリ４４と、前記ＨＤＤ搭載ベイ３０とのインタフェースを制御するＨＤＤコントローラ４３とから構成され、ＨＤＤ搭載ベイ３０は、前記ＨＤＤコントローラ４３と接続される複数のＨＤＤインタフェースコネクタ２０と、該ＨＤＤインタフェースコネクタ２０に接続される本実施形態の特徴であるＨＤＤベイ搭載表示部１０と、複数のＨＤＤ２１とから構成されている。
【０００９】
前記ＨＤＤベイ搭載表示部１０は、前記ＨＤＤインタフェースコネクタ２０を介して信号を入力する制御部１２と、該入力した信号を保持するレジスタ１３と、該レジスタ１３に保持された信号の状態に応じてレディ状態又はアラーム状態をＬＥＤ表示するＬＥＤ表示器１１とから構成される。
【００１０】
このように構成されたサーバは、ＳＮＭＰ（Ｓｉｍｐｌｅ  Ｎｅｔｗｏｒｋ  Ｍａｎａｇｅｍｅｎｔ  Ｐｒｏｔｏｃｏｌ）やＤＭＩ（Ｄｅｓｋｔｏｐ  Ｍａｎａｇｅｍｅｎｔ  Ｉｎｔｅｒｆａｃｅ）などのサーバ管理ソフトウェアがＩＰＭＩ（：Ｉｎｔｅｌｌｉｇｅｎｔ  Ｐｌａｔｆｏｒｍ  Ｍａｎａｇｅｍｅｎｔ  Ｉｎｔｅｒｆａｃｅ）と呼ばれるところの、サーバハードウェアをモニタ可能にするための標準インタフェース仕様を備える。
【００１１】
このＩＰＭＩは、サーバの温度や電源やファンの状態などを監視できる機能を備え、サーバ管理ハードウェアにアクセスするための共通インタフェースと、メッセージベースのプロトコルを規定すると共に、サーバ管理ハードウェアのための内部バス仕様であるＩＰＭＢ（Ｉｎｔｅｌｌｉｇｅｎｔ  Ｐｌａｔｆｏｒｍ  Ｍａｎａｇｅｍｅｎｔ  Ｂｕｓ）と、サーバに他のＩＰＭＩシステムを接続するための外部バス仕様であるＩＣＭＢ（Ｉｎｔｅｌｌｉｇｅｎｔ  Ｃｈａｓｓｉｓ  Ｍａｎａｇｅｍｅｎｔ  Ｂｕｓ）とを含んでいる。このうちＩＰＭＢは、障害診断カードなどのサーバ内部に追加するデバイス向けのバス仕様であり、これにより例えばシステムがダウンしている場合でも、障害診断カードがサーバシステムの状態をモニタでき、一方のＩＣＭＢは、管理機能を持つ別のサーバを接続して、サーバをモニタできるようにする外部バスインターフェイスである。
【００１２】
さて、この様に構成された本実施形態によるサーバは、前記ＣＰＵ４１が、標準インタフェース仕様であるＩＰＭＩを用いて前述のサーバの温度や電源やファンの状態などの状態情報を監視し、該状態情報を予め定めた閾値と比較することによって正常（閾値以下）及び異常（閾値異常）を判定し、正常と判定したときにはレディ（ＲＡＤＹ）信号／異常と判定したときにはアラーム（ＡＬＥＡＭ）信号をＨＤＤコントローラ４３を介して出力し、このレディ信号／アラーム信号をＨＤＤインタフェースコネクタ２０を介してレジスタ１３に保持し、この保持した状態信号、例えば「０」（正常）又は「１」（異常）に応じてレディ状態又はアラーム状態をＬＥＤ表示器１１に表示する様に動作する。
【００１３】
即ち本実施形態による状態表示機能付きサーバは、ＣＰＵ４１がＩＰＭＩによる状態監視機能を使用してサーバ温度／電源やファンの状態などの状態情報を取得し、正常又は異常の判定を行って当該判定結果をＨＤＤインタフェースを介してＨＤＤ搭載ベイ３０に搭載したＨＤＤベイ搭載表示部１０に表示することによって、スペースを要するＣＲＴ等の表示部を別設することなく、省スペースでシステムの状態を容易に表示することができる
【図面の簡単な説明】
【００１４】
【図１】本発明の一実施形態による状態表示機能付きサーバの主要構成を示す図。
【符号の説明】
【００１５】
１０：ベイ搭載表示部、１１：表示器、１２：制御部、１３：レジスタ、２０：インタフェースコネクタ、３０：ＨＤＤ搭載ベイ、４０：コントローラ部、４２：ブリッジ、４３：ＨＤＤコントローラ、４４：メモリ。
【図１】
2007122505.tif 000003